(57)【要約】 【課題】  低コストで且つ型崩れしにくいソフトバッグを提供すること。【解決手段】  鞄本体Ｂを構成する生地相互の接合部に縫着されているパイピン４内に、弾性を有する金属線Ｓを収納してあるものとしている。鞄本体Ｂの開口部廻りを構成する前・後面の生地の上部域に袋状部１３，１４を形成してあり、前記袋状部１３，１４に弾性を有する細板状の金属板ＭＰを収容させてある。金属線Ｓは、コイルバネである。袋状部１３，１４は、前・後面部１０，１１の生地の上部域に配置されている。【選択図面】  図１
2006102153.tif 000002
【特許請求の範囲】
【請求項１】
鞄本体を構成する生地相互の接合部に縫着されているパイピン内に、弾性を有する金属線を収納してあることを特徴とするソフトバッグ。
【請求項２】
鞄本体の開口部廻りを構成する前・後面部の生地に袋状部を形成してあり、前記袋状部に弾性を有する細板状の金属板を収容させてあることを特徴とする請求項１記載のソフトバッグ。
【請求項３】
金属線が、コイルバネであることを特徴とする請求項１又は２記載のソフトバッグ。
【請求項４】
袋状部は、前・後面部の生地の上部域に配置されていることを特徴とする請求項２記載のソフトバッグ。
【発明の詳細な説明】
【技術分野】
【０００１】
この発明は、可撓性を有したスポーツバッグや通勤用鞄等のソフトバッグに関するものである。
【背景技術】
【０００２】
従来からスポーツバッグ等は可撓性を有するソフトな素材により構成されているが、通勤用鞄においても最近ではソフトな素材により構成されたものが市場に出回るようになってきている。
【０００３】
しかしながら、ソフトタイプの鞄（バッグ）は柔軟生地の張力等により保形を確保するだけであるので、型崩れしやすく見栄えが良くないという問題があった。
【０００４】
上記問題を解決する一手段として、表面を化繊織布、裏面を化繊トリコット布、中間層をウレタンフォーム層となした三層積層生地を、加圧・加熱成型して立体的な鞄の収納部を成型した鞄がある（例えば、特許文献１。）。
【０００５】
ところが、前記一手段により鞄を製造した場合、コスト高になる可能性が極めて高いという問題がある。
【０００６】
したがって、鞄を取り扱う業界では、低コストで且つ型崩れしにくいソフトバッグが開発されることを待ち望んでいる。
【特許文献１】特開平９−１３５７１７号公報  （図４参照）
【発明の開示】
【発明が解決しようとする課題】
【０００７】
そこでこの発明では、低コストで且つ型崩れしにくいソフトバッグを提供することを課題とする。
【課題を解決するための手段】
【０００８】
（請求項１記載の発明）
この発明のソフトバッグは、鞄本体を構成する生地相互の接合部に縫着されているパイピン内に、弾性を有する金属線を収納してある。
【０００９】
（請求項２記載の発明）
この発明のソフトバッグは、上記請求項１記載の発明に関し、鞄本体の開口部廻りを構成する前・後面部の生地の上部域に袋状部を形成してあり、前記袋状部に弾性を有する細板状の金属板を収容させてある。
【００１０】
（請求項３記載の発明）
この発明のソフトバッグは、上記請求項１又は２記載の発明に関し、金属線が、コイルバネである。
【００１１】
（請求項４記載の発明）
この発明のソフトバッグは、上記請求項２記載の発明に関し、袋状部は、前・後面部の生地の上部域に配置されている。
【発明の効果】
【００１２】
この発明のソフトバッグは、低コストで且つ型崩れしにくい。
【発明を実施するための最良の形態】
【００１３】
以下にこの発明のソフトバッグを実施するための最良の形態としての実施例について詳細に説明する。
【実施例１】
【００１４】
図１はこの発明の実施例１におけるソフトバッグＳＢの外観斜視図、図２は前記ソフトバッグＳＢの断面図、図３は、生地相互の接合部に縫着されているパイピン内に、弾性を有する金属線を収納してある状態の断面図を示している。
【００１５】
（このソフトバッグＳＢの構成について）
このソフトバッグＳＢは、図１や図２に示すように、通勤時に使用するタイプのものであり、上端開放部を開閉する蓋部ｂを有した鞄本体Ｂと、前記鞄本体Ｂに設けられた二つの把手Ｈ，Ｈから構成されている。
【００１６】
鞄本体Ｂは、図１や図２に示すように、前面部１０、後面部１１、底面部１２から成る第１生地１と、左マチ部を形成する第２生地２と、右マチ部を形成する第３生地３とを備えており、図１に示すように、前記第１生地１の左端縁と第２生地２とが、前記第１生地１の右端縁と第３生地３とが、それぞれ所謂パイピン４を介して逢着されている。
【００１７】
ここで、上記前面部１０及び後面部１１の上端部全域は、図２に示すように、内側に折り曲げた後に縫着されて成る袋状部１３，１４を有しており、前記袋状部１３，１４にはそれぞれ弾性を有する細板状の金属板ＭＰ（例えば板バネ）を収容させてある。
【００１８】
また、上記前面部１０及び後面部１１の内面側には、図２に示すように、生地５０，５１を配してあり、前面部１０と生地５０とにより、前面部１１と生地５１とにより、それぞれファスナーＦで開閉できる内ポケットＩＰが形成されている。
【００１９】
更に、上記生地５１の上端部には、図２に示すように、上記した蓋部ｂを縫着してあり、前記蓋部ｂの自由端側をホック５２を介して生地５０側に止着することにより、鞄本体Ｂの上端開放部が閉蓋できるようにしてある。
【００２０】
上記パイピン４は、図３に示すように、欠円管部４０とこれの端縁から延びる片部４１，４１とから構成されており、具体的には、一方の片部４１は第１生地１に、他方の片部４１は第２生地２又は第３生地３に、縫着される。ここで、このソフトバッグＳＢでは、パイピン４における欠円管部４０の全域に、図３に示すように、弾性を有する金属線Ｓ (例えば小径のコイルバネ）を収容してある。
【００２１】
なお、この実施例１では、図１に示すように、前面部１０を横に二分割し、両者をパイピン４で繋ぐと共に前記パイピン４の欠円管部４０内に金属線Ｓを収容してある。
【００２２】
（このソフトバッグＳＢの優れた作用・効果について）
このソフトバッグＳＢは、パイピン４内の金属線Ｓ及び、袋状部１３，１４内の金属板ＭＰの弾性復帰力により、形状の型崩れが阻止できる。具体的には、金属線Ｓにより鞄本体Ｂの縦折れが阻止され、金属板ＭＰにより鞄本体Ｂの横折れが阻止される。
【００２３】
また、元々存在していたパイピン４内に金属線Ｓを収容させたり、簡単に形成できる袋状部１３，１４内に金属板ＭＰを収容させるだけであるから、高コストになることはない。
【００２４】
したがって、このソフトバッグＳＢは、低コストで且つ型崩れしにくいものとなり、非常に都合が良い。
【実施例２】
【００２５】
図４は、ユニフォームや運動に使用する道具を収容するスポーツバッグ（ソフトバッグ）の外観斜視図を示している。
【００２６】
このスポーツバッグは、全体の形状は実施例１と相違しているが、鞄としての基本的形態は全く同じである。
【００２７】
しかしながら、このスポーツバッグでは、図４に示すように、前面部１０、後面部１１、底面部１２から成る第１生地１と、左・右マチ部と上面部（ファスナーＦを有する）が一体となった生地６とを備え、同図に示すように、前記第１生地１と生地６とが一筆書きの状態でパイピン４を介して縫着されている。なお、前記パイピン４の欠円管部４０内には弾性を有する金属線Ｓを収容させてある。
【００２８】
このスポーツバッグにおいては、パイピン４内の横方向に延びる金属線Ｓにより横折れが阻止され、パイピン４内の縦方向に延びる金属線Ｓにより縦折れが阻止される。
【００２９】
また、元々存在していたパイピン４内に金属線Ｓを収容させるだけであるから、高コストになることはない。
【００３０】
したがって、このスポーツバッグは、低コストで且つ型崩れしにくいものとなり、非常に都合が良い。
【００３１】
（その他）
図５は、ソフトタイプの旅行用鞄の外観斜視図を示している。
【００３２】
この旅行用鞄では、上面部１５、底面部１２及び上・下マチ部２，３が構成する枠形状部Ｗと、前面部１０及び後面部１１とが、金属線Ｓを収容させたパイピン４を介して縫着されている。なお、前記パイピン４の欠円管部４０内には弾性を有する金属線Ｓを収容させてある。
【００３３】
この旅行用鞄においても実施例１、２と同等の作用・効果を奏することが明らかである。
【００３４】
なお、上記金属板ＭＰを収容するための袋状部１３，１４を設ける位置は適宜変更することができる。
【図面の簡単な説明】
【００３５】
【図１】この発明の実施例１におけるソフトバッグの外観斜視図。
【図２】前記ソフトバッグの断面図。
【図３】生地相互の接合部に縫着されているパイピン内に、弾性を有する金属線を収納してある状態の断面図。
【図４】この発明の実施例２におけるソフトバッグの外観斜視図。
【図５】その他の実施の形態のソフトバッグの外観斜視図。
【符号の説明】
【００３６】
Ｂ      鞄本体
Ｓ      金属線
ＭＰ    金属板
４      パイピン
１０    前面部
１１    後面部
１３    袋状部
１４    袋状部
【図１】
2006102153.tif 000003
【図２】
2006102153.tif 000004
【図３】
2006102153.tif 000005
【図４】
2006102153.tif 000006
【図５】
2006102153.tif 000007